(57)【要約】【課題】  テープ状記録媒体からディスク状記録媒体へ、操作性が高く、効率よくダビングを実行する。【解決手段】  磁気テープに記録された画像信号から、その再生時間軸における一定の時間間隔で、参照画像を表示させるための参照画像信号を抽出する信号抽出手段と、該抽出された参照画像信号を蓄積するためのメモリと、メモリに蓄積された参照画像信号を参照画像の表示用に読出し可能な読出手段と、参照画像が表示された後に、テープ状記録媒体からディスク状記録媒体へのダビング動作に関する動作指示を外部入力することが可能な入力手段とを備える。【選択図】      図８
2005210177.tif 000002
【特許請求の範囲】
【請求項１】
テープ状記録媒体に記録された画像信号を含むコンテンツ信号を再生可能なテープ再生部と、
ディスク状記録媒体に前記コンテンツ信号を記録可能なディスク記録部と、
前記テープ状記録媒体に記録された画像信号から、コンテンツに関する参照画像を表示させるための参照画像信号を抽出する信号抽出手段と、
該抽出された参照画像信号を蓄積するためのメモリと、
前記メモリに蓄積された参照画像信号を前記参照画像の表示用に読出し可能な読出手段と、
前記読出手段により前記メモリから前記参照画像信号が読み出された後に、前記テープ状記録媒体から前記ディスク状記録媒体へのダビング動作に関する動作指示を外部入力することが可能な入力手段と、
該入力手段に入力された前記ダビング動作に関する動作指示に応じて前記テープ再生部及び前記ディスク記録部を制御する制御手段と
を備えたことを特徴とする記録再生装置。
【請求項２】
前記入力手段は、前記メモリから読み出される参照画像信号に基づく前記参照画像の表示の要否を、更に外部入力により指定可能であり、
前記入力手段にて前記参照画像の表示を要すると指定された場合には、前記信号抽出手段は、前記参照画像信号を抽出すると共に、前記制御手段は、前記入力手段において入力された前記ダビング動作に関する動作指示に応じて前記テープ再生部及び前記ディスク記録部の動作を制御し、
前記入力手段にて前記参照画像の表示を要しないと指定された場合には、前記信号抽出手段は、前記参照画像信号を抽出しないと共に、前記制御手段は、前記参照画像とは無関係に前記ダビング動作を実行するように前記テープ再生部及び前記ディスク記録部を制御することを特徴とする請求項１に記載の記録再生装置。
【請求項３】
前記入力手段は、前記参照画像の表示を(i) 前記テープ再生部における現在の再生位置にある画像信号の部分以降について行うか、(ii) 前記画像信号の冒頭以降について行うかを外部入力により指定可能であり、
前記入力手段にて前記参照画像の表示を前記画像信号の部分以降について行うと指定された場合には、前記信号抽出手段は、前記画像信号の部分以降について前記参照画像信号を抽出し、
前記入力手段にて前記参照画像の表示を前記画像信号の冒頭以降について行うと指定された場合には、前記信号抽出手段は、前記画像信号の冒頭以降について前記参照画像信号を抽出する
ことを特徴とする請求項１又は２に記載の記録再生装置。
【請求項４】
前記信号抽出手段は、前記参照画像がサムネイル画像となるように前記参照画像信号を抽出することを特徴とする請求項１から３のいずれか一項に記載の記録再生装置。
【請求項５】
前記信号抽出手段は、前記参照画像が前記コンテンツ信号の論理的なまとまり毎に表示されるように前記参照画像信号を抽出することを特徴とする請求項１から４のいずれか一項に記載の記録再生装置。
【請求項６】
前記入力手段は、前記ダビングに関する動作指示として前記ダビング動作の要否を外部入力することが可能であることを特徴とする請求項１から５のいずれか一項に記載の記録再生装置。
【請求項７】
前記入力手段は、前記ダビングに関する動作指示として、前記ダビング動作の実行範囲を前記参照画像の表示に基づく外部入力により指定可能であることを特徴とする請求項１から６のいずれか一項に記載の記録再生装置。
【請求項８】
テープ状記録媒体に記録された画像信号を含むコンテンツ信号を再生可能なテープ再生部と、ディスク状記録媒体に前記コンテンツ信号を記録可能なディスク記録部と、メモリと、前記コンテンツ信号の前記テープ状記録媒体から前記ディスク状記録媒体へのダビング動作に関する動作指示が外部入力される入力手段とを備えた記録再生装置におけるダビング方法であって、
前記テープ状記録媒体に記録された画像信号から、コンテンツに関する参照画像を表示させるための参照画像信号を抽出する工程と、
該抽出された参照画像信号を前記メモリに蓄積する工程と、
該メモリに蓄積された参照画像信号を参照画像の表示用に読み出す工程と、
該読み出された参照画像信号に基づき表示される前記参照画像をもとに、前記ダビング動作に関する動作指示を前記入力手段から外部入力する工程と、
該外部入力された動作指示に応じた動作を実行する工程と
を含むことを特徴とするダビング方法。
【発明の詳細な説明】
【技術分野】
【０００１】
本発明は、磁気テープ等のテープ状記録媒体に記録された情報をＤＶＤ、ＣＤ（Compact Disk）等のディスク状記録媒体へダビングする際のダビング方法、及び、該ダビング方法を実行する記録再生装置の技術分野に関する。
【背景技術】
【０００２】
この種の記録再生装置は、磁気テープに記録された情報の再生及びディスク状記録媒体への情報記録が可能である。ＤＶＤドライブとビデオデッキの両方を搭載した装置では、ビデオテープの内容を再生したり、ＤＶＤへダビングしたりすることができる。
【０００３】
このような装置は、今までビデオテープに録り溜めたデータを、保管の目的でＤＶＤに移し変えるのに利用されることがある。その際には、データを整理して必要なコンテンツだけをダビングしようとするのが普通であり、一枚のＤＶＤにどの内容をダビングするかは、ＤＶＤの容量も考慮して決めなければならない。そのためには、先ずビデオテープに録画された内容や録画時間を把握する必要がある。これは、ビデオデッキに付加された操作支援機能を利用して解決することができる。
【０００４】
例えば、特許文献１では、複数の番組が録画済みのビデオテープに対し、各番組の録画開始時に記録されたインデックス信号を頼りに録画内容の区切りを認識し、録画内容毎のインデックス画像を作成し、これらインデックス画像を一覧表示してビデオテープの録画内容を確認する技術や、更に、一覧表示させたインデックス画像に基づき所望の録画番組を選択すると、ビデオテープ上の当該録画番組のインデックス信号位置をサーチして頭出し再生する技術について記載されている。また、特許文献２には、静止画や文字情報などの、コンテンツ毎のコンテンツ情報をリスト表示する技術について記載されている。
【０００５】
【特許文献１】特開２０００−２６１７５５号公報
【特許文献２】特開２００３−３２５８２号公報
【発明の開示】
【発明が解決しようとする課題】
【０００６】
しかしながら、上記の各技術はどちらかというとテープ内容の再生を前提としており、ダビング時の操作性という観点からみれば改良の余地がある。
【０００７】
特許文献１の技術は、一旦ビデオテープ全体をサーチしてインデックス画像を作成するようになっているため、ビデオテープの後半部分だけ内容を確認したい場合などには対応していない。このような場合には、ビデオテープ前半の内容に係るインデックス画像はむしろ不要であり、その分だけ画像作成時間も長くなってしまう。また、インデックス画像作成に際しては、上述したように、既にビデオテープに記録されているインデックス信号を利用する。ところが、カメラ一体型ＶＴＲ等からビデオテープにダビングされた内容は途中に区切りがないことが多く、この場合には装置が適正に動作しないおそれがある。そのうえ、１つのビデオテープ内の複数のコンテンツをＤＶＤ等にダビングする場合、一覧表示をもとに目的とするコンテンツごとに頭出しを行い、１つ１つダビングしてゆかねばならないため、操作の手間も時間もがかかる。また、ダビングに関しては手動操作によるところが大きいために、うっかり頭出しを忘れ、途中からしかダビングできなかった等の失敗もあり得る。
【０００８】
また特許文献２の技術は、記録内容を提示するに過ぎず、前述したようなダビングにかかる手間と時間を十分軽減することは難しい。
【０００９】
本発明は、例えば上記問題点に鑑みなされたものであり、操作性よく、効率のよいダビング動作が実行可能な記録再生装置及びダビング方法を提供することを課題とする。
【課題を解決するための手段】
【００１０】
請求項１に記載の記録再生装置は上記課題を解決するために、テープ状記録媒体に記録された画像信号を含むコンテンツ信号を再生可能なテープ再生部と、ディスク状記録媒体に前記コンテンツ信号を記録可能なディスク記録部と、前記テープ状記録媒体に記録された画像信号から、コンテンツに関する参照画像を表示させるための参照画像信号を抽出する信号抽出手段と、該抽出された参照画像信号を蓄積するためのメモリと、前記メモリに蓄積された参照画像信号を前記参照画像の表示用に読出し可能な読出手段と、前記読出手段により前記メモリから前記参照画像信号が読み出された後に、前記テープ状記録媒体から前記ディスク状記録媒体へのダビング動作に関する動作指示を外部入力することが可能な入力手段と、該入力手段に入力された前記ダビング動作に関する動作指示に応じて前記テープ再生部及び前記ディスク記録部を制御する制御手段とを備えている。
【００１１】
請求項８に記載のダビング方法は上記課題を解決するために、テープ状記録媒体に記録された画像信号を含むコンテンツ信号を再生可能なテープ再生部と、ディスク状記録媒体に前記コンテンツ信号を記録可能なディスク記録部と、メモリと、前記コンテンツ信号の前記テープ状記録媒体から前記ディスク状記録媒体へのダビング動作に関する動作指示が外部入力される入力手段とを備えた記録再生装置におけるダビング方法であって、前記テープ状記録媒体に記録された画像信号から、コンテンツに関する参照画像を表示させるための参照画像信号を抽出する工程と、該抽出された参照画像信号を前記メモリに蓄積する工程と、該メモリに蓄積された参照画像信号を参照画像の表示用に読み出す工程と、該読み出された参照画像信号に基づき表示される前記参照画像をもとに、前記ダビング動作に関する動作指示を前記入力手段から外部入力する工程と、該外部入力された動作指示に応じた動作を実行する工程とを含む。
【００１２】
本発明の作用及び利得は次に説明する実施の形態から明らかにされる。
【発明を実施するための最良の形態】
【００１３】
（記録再生装置の実施形態）
本発明の記録再生装置に係る実施形態は、テープ状記録媒体に記録された画像信号を含むコンテンツ信号を再生可能なテープ再生部と、ディスク状記録媒体に前記コンテンツ信号を記録可能なディスク記録部と、前記テープ状記録媒体に記録された画像信号から、コンテンツに関する参照画像を表示させるための参照画像信号を抽出する信号抽出手段と、該抽出された参照画像信号を蓄積するためのメモリと、前記メモリに蓄積された参照画像信号を前記参照画像の表示用に読出し可能な読出手段と、前記読出手段により前記メモリから前記参照画像信号が読み出された後に、前記テープ状記録媒体から前記ディスク状記録媒体へのダビング動作に関する動作指示を外部入力することが可能な入力手段と、該入力手段に入力された前記ダビング動作に関する動作指示に応じて前記テープ再生部及び前記ディスク記録部を制御する制御手段とを備えている。
【００１４】
本発明の記録再生装置に係る実施形態によれば、テープ状記録媒体からディスク状記録媒体へのダビングに際し、先ず、テープ状記録媒体に記録された画像信号をサンプリングして参照画像信号を抽出し、メモリに蓄積してゆく。メモリに蓄積された参照画像信号は、逐次又は一括して読み出され、これらに基づく参照画像が表示される。使用者は、表示された参照画像によってテープ状記録媒体の記録内容を確認し、その上で、ダビング動作に関する最終的な指示を行う。
【００１５】
ここでいう「ダビング動作に関する動作指示」とは、ダビングに関連する動作の指示である。具体的には、ダビング動作を行うか否かの指示、ダビング範囲指定を行うか否かの指示、そしてダビング実行範囲の設定等の動作条件の指定がこれにあたる。ちなみに、ダビング実行範囲は、参照画像をもとに設定するようにしてもよい。
【００１６】
この記録再生装置では、先ずダビング対象となり得る画像を表示することで、使用者の意思決定に関する情報を提供する。使用者は、これに応じて次の動作を決め、その旨の指示を入力手段から入力する。このように、テープ状記録媒体の内容の確認とダビングに関する動作指示とを連携させて行うことで、使用者の意図に沿った操作が可能であり、使用者の使い勝手を向上させることができる。
【００１７】
本発明の記録再生装置に係る実施形態の一の態様では、前記入力手段は、前記メモリから読み出される参照画像信号に基づく前記参照画像の表示の要否を、更に外部入力により指定可能であり、前記入力手段にて前記参照画像の表示を要すると指定された場合には、前記信号抽出手段は、前記参照画像信号を抽出すると共に、前記制御手段は、前記入力手段において入力された前記ダビング動作に関する動作指示に応じて前記テープ再生部及び前記ディスク記録部の動作を制御し、前記入力手段にて前記参照画像の表示を要しないと指定された場合には、前記信号抽出手段は、前記参照画像信号を抽出しないと共に、前記制御手段は、前記参照画像とは無関係に前記ダビング動作を実行するように前記テープ再生部及び前記ディスク記録部を制御する。
【００１８】
この態様によれば、参照画像は使用者の要否判断に応じて表示される。参照画像の表示を要すると指定された場合には、上述の一連の動作によって参照画像を表示する。そして、参照画像をもとにして、使用者の判断によりダビング動作に関する動作指示がなされ、更にこの指示に応じた動作制御が行われる。他方、参照画像の表示を要しないと指定された場合には、参照画像表示に係る動作は行われず、ダビング実行範囲も参照画像とは無関係に決定される。このように使用者の判断を仰ぎつつ条件設定を進めることで、使用者の意図に沿ってダビングを実行することができる。
【００１９】
本発明の記録再生装置に係る実施形態の他の態様では、前記入力手段は、前記参照画像の表示を(i) 前記テープ再生部における現在の再生位置にある画像信号の部分以降について行うか、(ii) 前記画像信号の冒頭以降について行うかを外部入力により指定可能であり、前記入力手段にて前記参照画像の表示を前記画像信号の部分以降について行うと指定された場合には、前記信号抽出手段は、前記画像信号の部分以降について前記参照画像信号を抽出し、前記入力手段にて前記参照画像の表示を前記画像信号の冒頭以降について行うと指定された場合には、前記信号抽出手段は、前記画像信号の冒頭以降について前記参照画像信号を抽出する。
【００２０】
テープ再生部における現在の再生位置は、テープ状記録媒体の先頭のほか、テープ状記録媒体の途中である場合がある。そのいずれであってもよいが、特に後者の場合に、入力手段にて(i) 参照画像の表示を現在の再生位置にある画像信号の部分以降について行うと指定することで、現在の再生位置以降の内容だけ確認することができる。即ち、例えばテープ状記録媒体が前半に録画されたままの状態である等、使用者が現在の再生位置以前の記録内容を事前に知っており、その部分の内容確認が不要な場合に、まさに使用者の希望に合った範囲で参照画像を表示することができる。また、表示範囲を限定することで、参照画像の生成にかかる時間が短縮されることや、表示される参照画像の数が少なくなることで、より快適な使用環境を提供することが可能となる。
【００２１】
一方、入力手段にて(ii) 参照画像の表示を画像信号の冒頭以降について行うと指定すると、テープ再生部における現在の再生位置が、テープ状記録媒体の先頭であろうが途中であろうが、テープ状記録媒体の先頭以降の内容確認が可能である。このように、使用者が内容を確認したい範囲を自ら設定することができるので、優れたユーザインターフェイスを実現することが可能である。
【００２２】
本発明の記録再生装置に係る実施形態の他の態様では、前記信号抽出手段は、前記参照画像がサムネイル画像となるように前記参照画像信号を抽出する。
【００２３】
この態様によれば、参照画像がサムネイル画像として表示され、使用者は、テープ状記録媒体の内容を概観することができる。
【００２４】
本発明の記録再生装置に係る実施形態の他の態様では、前記信号抽出手段は、前記参照画像が前記コンテンツ信号の論理的なまとまり毎に表示されるように前記参照画像信号を抽出する。
【００２５】
この態様によれば、参照画像は、コンテンツ等の論理的なまとまり毎に表示される。そのため、使用者がより内容を把握しやすくなる。
【００２６】
本発明の記録再生装置に係る実施形態の他の態様では、前記入力手段は、前記ダビングに関する動作指示として前記ダビング動作の要否を外部入力することが可能である。
【００２７】
この態様によれば、使用者は、テープ状記録媒体の内容を確認し、その内容をダビングするか否かを検討することができ、そのうえでダビング動作の要否を指示する。よって、使用者の意図に沿ってダビングを実行することが可能である。
【００２８】
本発明の記録再生装置に係る実施形態の他の態様では、前記入力手段は、前記ダビングに関する動作指示として、前記ダビング動作の実行範囲を前記参照画像の表示に基づく外部入力により指定可能である。
【００２９】
この態様によれば、使用者は、テープ状記録媒体の内容を確認した上で、ダビング実行範囲を設定することができる。即ち、一回のダビング操作で、テープ状記録媒体に収められた複数のコンテンツを、取捨選択のうえでディスク状記録媒体に移し変えることができることから、ダビング時にディスク状記録媒体上における編集作業をも行うことが可能であり、非常に便利である。また、ダビング実行範囲は、参照画像に基づき指定することで、容易かつ確実に設定することが可能である。
【００３０】
（ダビング方法の実施形態）
本発明のダビング方法に係る実施形態は、テープ状記録媒体に記録された画像信号を含むコンテンツ信号を再生可能なテープ再生部と、ディスク状記録媒体に前記コンテンツ信号を記録可能なディスク記録部と、メモリと、前記コンテンツ信号の前記テープ状記録媒体から前記ディスク状記録媒体へのダビング動作に関する動作指示が外部入力される入力手段とを備えた記録再生装置におけるダビング方法であって、前記テープ状記録媒体に記録された画像信号から、コンテンツに関する参照画像を表示させるための参照画像信号を抽出する工程と、該抽出された参照画像信号を前記メモリに蓄積する工程と、該メモリに蓄積された参照画像信号を参照画像の表示用に読み出す工程と、該読み出された参照画像信号に基づき表示される前記参照画像をもとに、前記ダビング動作に関する動作指示を前記入力手段から外部入力する工程と、該外部入力された動作指示に応じた動作を実行する工程とを含む。
【００３１】
本発明のダビング方法に係る実施形態は、上述した本発明の記録再生装置と同様の作用及び効果を奏する。
【００３２】
以上説明したように、本発明の記録再生装置に係る実施形態によれば、信号抽出手段、メモリ、読出手段、入力手段及び制御手段を備えるので、操作性よく、効率のよいダビング動作が実行可能である。
【００３３】
また、本発明のダビング方法に係る実施形態によれば、参照画像信号を抽出する工程、これをメモリに蓄積する工程、これを参照画像の表示用に読み出す工程、表示される参照画像をもとにダビング動作に関する動作指示を入力する工程及びダビングに関する動作を実行する工程を含むので、操作性よく、効率よくダビング動作が実行可能である。
【実施例】
【００３４】
以下、図面を参照して、本発明の実施例について説明する。
【００３５】
＜記録再生装置の構成＞
図１は、本実施例に係る記録再生装置の主要部の構成を表している。この記録再生装置１００は、テープ再生部１０、ディスク記録部２０、画像サンプリング部３０、参照画像生成部４０及び制御部５０を備え、ビデオテープ１０Ａ及び光ディスク２０Ａを外部より挿入し、ビデオテープ１０Ａの記録内容を光ディスク２０Ａへダビング可能に構成されている。尚、図１において、制御部５０と各構成要素とをつなぐ細線は、制御信号の送受を行うための制御線を表し、各構成要素間の太線は、データのやりとりを行うためのデータ線を表している。また、記録再生装置１００は、表示装置２００とケーブル等により接続されている。
【００３６】
テープ再生部１０は、ビデオテープ１０Ａからアナログの画像音声信号を再生し、ディジタル信号に変換する機能を有し、不連続位置検出手段１１、時間カウンタ１２及び巻量検出手段１３を含んでいる。このうち、不連続位置検出手段１１は、再生信号における不連続部分を検出するように構成され、時間カウンタ１２は、ビデオテープ１０Ａの再生時に、その巻き取り動作と連動して計時するように構成され、巻量検出手段１３は、ビデオテープの巻き取り量を検出し、現在のテープ再生位置を特定するように構成されている。
【００３７】
ディスク記録部２０は、入力される画像音声信号を、光ディスク２０Ａに書き込む機能を有している。
【００３８】
画像サンプリング部３０は、テープ再生部１０で再生された画像信号から、その再生時間軸における一定の時間間隔で、静止画に対応する参照画像信号を抽出するように構成されている。具体的には、時間カウンタ１２におけるカウント時間を基準として、一定時間経過毎に１フレームの画像信号がサンプリングされ、参照画像生成部４０へ送出される。これにより、通常録画モード、長時間（低画質）録画モード、高画質モードなどの、ビデオテープ１０Ａの録画密度或いは再生スピードによらずに、再生時間軸における一定間隔で参照画像信号が抽出される。
【００３９】
参照画像生成部４０は、画像サンプリング部３０から入力される参照画像信号をもとにサムネイル画像４０Ａ（図８を参照）を生成し、メモリ４１に蓄積するように機能する。尚、サムネイル画像４０Ａは夫々、一般に低画質の静止画であるが、短い再生時間に係る動画であってもよい。
【００４０】
制御部５０は、テープ再生部１０、ディスク記録部２０、画像サンプリング部３０及び参照画像生成部４０の各動作を制御するために設けられている。そのため、制御部５０は、前述のように、これら各要素と制御線で接続されている。
【００４１】
また、制御部５０は、テープ再生部１０より、ビデオテープ１０Ａに関する各種情報をデータとして受け取り、メモリ５１に蓄積するように構成される。ここで受け取る情報としては、ビデオテープ１０Ａのダビング開始位置や不連続位置、サムネイル画像に対応する再生時間及び録画モードなどがあり、ビデオテープ１０Ａにおける信号の位置や再生時間は、時間カウンタ１２のカウント時間に基づいて表現される。
【００４２】
また、制御部５０は、参照画像生成部４０のメモリ４１より、サムネイル画像４０Ａのデータを受け取り、メモリ５１に蓄積した再生時間データと併せ、画面上の所定位置に表示するように表示装置２００へと出力するように構成される。即ち、サムネイル画像４０Ａはビデオテープ１０Ａの概要を表し、その表示を概観することにより、使用者はビデオテープ１０Ａの記録内容を把握することができる。
【００４３】
入力装置６０ａ及び６０ｂは、記録再生装置１００に対して各種設定等を外部入力するために設けられている。入力装置６０ａは、例えば、記録再生装置１００と一体的に付設された表示パネルやボタンである。入力装置６０ｂは、記録装置１００とは別体の、使用者が手に持って操作できる遠隔操作機器であり、入力装置６０ｂが発信した無線信号は、入力装置６０ａの図示しない受信部が受信するように構成されている。
【００４４】
表示装置２００は、画像信号が外部入力可能に構成され、図示しない制御部及び駆動回路と、入力画像信号に基づき表示を行う表示画面２０１とを備える。そして、各種設定を外部入力するために、例えばＧＵＩ（Graphical User Interface）を有するタッチパネル２２０が表示画面２０１上に設けられる（図８を参照）。表示装置２００のＧＵＩにおける設定入力は、制御信号として、制御部より記録再生装置１００の制御部５０に送出される。制御部５０は、表示装置２００から受け取った制御信号に基づき、以下に説明するようなダビング動作に関する制御を行う。
【００４５】
＜記録再生装置のダビング動作＞
次に、この記録再生装置１００における、ビデオテープ１０Ａから光ディスク２０Ａへのダビング時の動作について、図１から図９を参照して説明する。尚、図２から図４は、当該ダビング動作を示す一連のフローチャートである。図５から図９は、ダビング動作の前処理にあたる動作を説明するための図である。
【００４６】
ビデオテープ１０Ａがテープ再生部１０に、光ディスク２０Ａがディスク記録部２０にセットされ、ダビングモードが選択されると、以下のようなビデオテープ１０Ａにおけるダビング実行範囲の設定が、制御部５０の制御下で実行される。
【００４７】
図２から図４のフローチャートにおいて先ず、使用者によって、ビデオテープ１０Ａの記録内容を確認するか否かが選択される（ステップＳ１０１）。こうした選択は、入力装置６０ａ又は６０ｂ、或いはタッチパネル２２０上のＧＵＩ等の手段の操作により実行される。
【００４８】
そして、既に使用者がビデオテープ１０Ａの内容を知っているなど、記録内容の確認が不要な場合（ステップＳ１０１：Ｎ）には、その旨の制御信号がＧＵＩ等から制御部５０に入力され、制御部５０はダビング動作を開始する（ステップＳ３０５）。
【００４９】
一方、記録内容の確認を行う場合には（ステップＳ１０１：Ｙ）、以下のように制御部５０の制御下で記録内容を表すサムネイル画像４０Ａ（図８参照）を生成し、表示する。
【００５０】
始めに、テープ再生部１０にてビデオテープ１０Ａを再生し、巻量検出手段１３にその巻き量を検出させる。検出された巻き量からは、ビデオテープ１０Ａの現在の再生位置が判明する（ステップＳ１０２）。
【００５１】
このとき、ビデオテープ１０Ａは巻き取られておらず、ほぼ先頭から再生できる状態であれば（ステップＳ１０３：Ｎ）、制御部５０は、時間カウンタ１２をゼロに初期化し（ステップＳ１０５）、そのままビデオテープ１０Ａの先頭以降の画像信号を対象にして、サムネイル画像４０Ａの作成に取りかかる。
【００５２】
しかし、ビデオテープ１０Ａが途中まで巻き取られた状態であれば（ステップＳ１０３：Ｙ）、ここで確認する記録内容は、現在の再生位置以降の内容でよいかを使用者に問い合わせる（ステップＳ１０４）。これも、入力装置６０ａ又は６０ｂ、或いはタッチパネル２２０上のＧＵＩ等の操作により実行される。ビデオテープ１０Ａが途中まで巻き取られた状態には、予めダビングしようとする内容に合わせて頭出しがされている場合もあれば、たまたまこの状態で保管されていた場合もあり得る。前者のように、使用者が、ビデオテープ１０Ａの内容を十分な程度に把握したうえで設定したものであれば、この状態での再生位置をダビング開始点としてよい。しかし、後者の場合は、使用者にそのような意図がなく、ビデオテープ１０Ａが巻き取られた状態であることに気づかずにダビングを始めようとしていると考えられる。実際に、このような場合に、途中からしかダビングされていないことに後で気づき、ダビングをまた最初からやり直す事態はかなり多い。
【００５３】
そこで、本実施例では、上記のようにビデオテープ１０Ａが途中まで巻き取られていることを使用者に知らせ、記録内容を表示させる範囲を問い合わせるのである。内容確認の範囲が、現在の再生位置以降でよければ、使用者はＧＵＩ等からその旨の指示を入力する（ステップＳ１０４：Ｙ）。制御部５０は、この指示入力をきっかけに時間カウンタ１２をゼロに初期化し（ステップＳ１０５）、ビデオテープ１０Ａの現在の再生位置以降の画像信号を対象に、サムネイル画像４０Ａの作成に取りかかる。
【００５４】
このようにビデオテープ１０Ａの現在の再生位置以降において内容確認とダビング実行範囲の選択を行う場合を、ここではケース１と呼ぶことにする。
【００５５】
一方、この問い合わせに使用者が否と応ずれば（ステップＳ１０４：Ｎ）、制御部５０は時間カウンタ１２をゼロに仮固定化して（ステップＳ１０６）、ビデオテープ１０Ａの先頭以降の画像信号を対象に、サムネイル画像４０Ａの作成に取りかかる。尚、このように現在の再生位置とは無関係に、ビデオテープ１０Ａの全体を対象に内容確認とダビング実行範囲の選択を行う場合をケース２と呼ぶことにする。
【００５６】
次に、図５及び図６に示したように、ケース１及びケース２いずれの場合も、現在の再生位置から終端までの範囲において、サムネイル画像４０Ａを作成する。
【００５７】
図５は、ケース１及びケース２の各動作を模式的に表している。また、図６は、サムネイル画像４０Ａを作成するのに必要な、参照画像信号のサンプリング動作の詳細を示している。ここでは、ビデオテープ１０Ａには、カメラ一体型ＶＴＲで録画された３種類のコンテンツＡ、Ｂ及びＣが、それぞれのマスターテープからダビングされている。即ち、ａ０、ｂ０、そしてｃ０は各コンテンツの境界であり、ＲＦ信号が不連続となっている。ａ１、ｂ１及びｂ２は、各マスターテープにおいてはＲＦ信号が不連続であった箇所であり、このテープには連続してダビングされたことを示している。ｄ０以降はブランクデータであり、何も録画されていないことを示す。そして、ビデオテープ１０Ａは、途中まで巻き取られた状態でテープ再生部１０にセットされており、現在の再生位置、即ち開始点はｂ０であるものとする。
【００５８】
尚、ケース１は開始点がテープ先頭である場合も含むが、その場合の動作は、開始点がテープ途中にある場合の動作を、開始点を置き換えてみればよい。そのため、以下では、図５のように開始点がテープ途中にある場合について主に説明する。
【００５９】
先ず、開始点ｂ０において、一画面分の参照画像信号を画像サンプリング部３０に取り込む（ステップＳ２０１）。これは、図６に示したように、コンテンツＢに対応するＲＦ信号のうち、最初のサンプリングポイントｐｂ１である。
【００６０】
参照画像信号は、例えば参照画像生成部４０においてサムネイル画像４０Ａのデータに加工され、メモリ４１に蓄積される。また、制御部５０は、このときの時間カウンタ１２のカウントデータを入手し、生成されたサムネイル画像４０Ａと関連付けてメモリ５１に格納する。以上の動作は、例えば参照画像信号をサンプリングする都度行われる。
【００６１】
次に、ビデオテープ１０Ａを早送りサーチする（ステップＳ２０２）。この早送り動作は、同期信号や音声信号が連続しており（ステップＳ２０３：Ｙ、ステップＳ２０４：Ｙ）、巻き戻すなどして開始点に戻っていない（ステップＳ２０５：Ｎ）限りにおいては、再生時間軸における一定時間、ここでは時間カウンタ１２のカウント時間で５分間が経過するまで行う（ステップＳ２０６：Ｎ）。
【００６２】
そして、時間カウンタ１２のカウント時間が５分経過すると（ステップＳ２０６：Ｙ）、そのときのビデオテープ１０Ａの巻き位置を巻量検出手段１３により検出し（ステップＳ２０７）、再生する。ここで、再生されるＲＦ信号がまだあれば（ステップＳ２０８：Ｎ）、この再生位置をサンプリングポイントｐｂ２として、参照画像信号をサンプリングする（ステップＳ２０１）。上述したように、画像サンプリング部３０に取り込んだ参照画像信号は、参照画像生成部４０でサムネイル画像４０Ａに加工され、メモリ４１に蓄積される。また、サンプリングポイントｐｂ２における時間カウンタ１２のカウント時間は、このとき生成されたサムネイル画像４０Ａと対応づけられてメモリ５１に蓄積される。このようにして、参照画像信号のサンプリング、サーチ、再生を、サンプリングポイントｐｂ２、ｐｂ３、…ｐｂ７と繰り返す。その結果、コンテンツＢの殆どを対象にした、５分おきのサムネイル画像４０Ａが生成される。
【００６３】
次に、サンプリングポイントｐｂ７からサーチを開始する。そして、時間カウンタ１２で５分間経過するまでの間に、不連続位置検出手段１１により同期信号が不連続なｃ０点が検出されると（ステップＳ２０３：Ｎ）、ビデオテープ１０Ａを少し戻してコンテンツＢの最後の部分をサンプリングポイントｐｂ８とし、ｃ０点の直前にて参照画像信号をサンプリングする（ステップＳ２０１）。これをもとに、コンテンツＢの最後のサムネイル画像４０Ａが生成される。
【００６４】
ｃ０点に達すると、同期信号が不連続であるため（ステップＳ２０３：Ｎ）、この再生位置をサンプリングポイントｐｃ１とし、引き続き参照画像信号のサンプリングを行う。続いて、参照画像信号のサンプリング、サーチ、再生を、サンプリングポイントｐｃ２、ｐｃ３、…ｐｃ５と繰り返す。その後、ｄ０点が検出されると、ビデオテープ１０Ａを少し戻してコンテンツＣの最後の部分をサンプリングポイントｐｃ６とし、参照画像信号をサンプリングする。その結果、コンテンツＣについても、最後の部分以外では５分おきのサムネイル画像４０Ａが生成される。
【００６５】
その後、ｄ０点以降のブランクデータを再生すると（ステップＳ２０８：Ｙ）、ビデオテープ１０Ａの終端を検出するまで（ステップＳ２０９：Ｎ）、サーチと再生は繰り返す（ステップＳ２１０）が、参照画像信号のサンプリングは行わない。以上の動作により、制御部５０のメモリ５１には、図７のように、各サンプリングポイントに対応させた時間カウンタ１２のカウント時間、及び、その累積時間がテーブルとして記録されている。
【００６６】
次に、巻量検出手段１３がビデオテープ１０Ａの終端を検出すると（ステップＳ２０９：Ｙ）、ケース１とケース２とで異なる動作をする。
【００６７】
即ち、ケース１の場合（ステップＳ２１１：Ｎ）は、図５のように、ビデオテープ１０Ａを開始点ｂ０まで巻き戻す（ステップＳ２１２）。そして、制御部５０は、メモリ４１に蓄積した一連のサムネイル画像４０Ａと、これに対応するメモリ５１の時間データとをもとにした参照画面５０Ａを生成し、表示装置２００へ送出する。表示装置２００では、参照画面５０Ａが表示画面２０１に表示される（ステップＳ３０１）。
【００６８】
参照画面５０Ａは、例えば図８のように、コンテンツごとに分けられ、それぞれ、サムネイル画像４０Ａとカウント時間とが時系列で並べられている。ここでは、５分毎の映像をサムネイルとして表示することで、使用者がコンテンツの内容を大まかに把握できるようにしている。また、その他の情報としては、標準モード、３倍モード等の録画モードの別を表示している。更に、この参照画面５０Ａは、コンテンツのダビング要否の問い合わせを表示し、当該要否の指示をＧＵＩ２２ａ、２２ｂにより外部入力可能としている。また、コンテンツの中でも、ダビング実行範囲が指定できるように、表示部２３ａ、２３ｂが設けられている。表示部２３ａ、２３ｂには、サムネイル画像４０Ａに対応する再生範囲が入力可能となっている。そのための手段としては、例えば、各サムネイル画像４０Ａの一部にＧＵＩを設けたり、表示装置２００本体、或いはその遠隔操作機器のボタン操作により各サムネイル画像４０Ａに対応する番号を選択入力できるようにしたりするとよい。
【００６９】
図８には、コンテンツＢ、コンテンツＣの両方に対し、ＧＵＩ２２ａにより「ダビングする」旨の指示を選択した場合（ステップＳ３０２：Ｙ）を示している。更にコンテンツＢについては、その表示部２３ａ、２３ｂに示したように、サムネイル画像４０Ａの１番目から８番目までの範囲がダビング対象に選択されている（ステップＳ３０３：Ｙ、Ｓ３０４）。つまり、コンテンツＢでは、サンプリングポイントｐｂ１からサンプリングポイントｐｃ１の直前まで、再生時間にして３２分間がダビング対象となっている。また、コンテンツＣについては、サムネイル画像４０Ａの１番目から４番目までの範囲がダビング対象に選択されている。即ち、サンプリングポイントｐｃ１からサンプリングポイントｐｃ５の直前まで、再生時間にして２０分間がダビング対象となっている。
【００７０】
ここでは、こうして選択した範囲のダビング時間、及びコンテンツ毎のダビング時間の累計を参照画面５０Ａに表示するようになっている。ケース１におけるダビングソースは、ビデオテープ１０ＡにおけるコンテンツＢ全部とコンテンツＣの始めから４番目のサムネイル画像４０Ａまでの範囲、即ちサンプリングポイントｐｂ１〜ｐｃ５の範囲である。よって、ダビングが必要な時間は累計５２分である。使用者は、ダビング実行以前にこれを見て、選択した範囲のデータが光ディスク２０Ａに収まるかを確認することができる。
【００７１】
このような参照画面５０Ａを参照することにより、使用者は、コンテンツＢ及びＣの記録内容を概観し、その上でダビングを実行するか否かを設定する（ステップＳ３０２）。ダビングを実行する場合（ステップＳ３０２：Ｙ）に、更にダビング実行範囲を指定するのであれば（ステップＳ３０３：Ｙ）、表示されたサムネイル画像４０Ａを利用してダビング実行範囲の設定を行う（ステップＳ３０４）。  こうして表示画面２０１上でダビング実行範囲が設定されると、ダビング実行範囲の確定情報は、制御部５０に送出される。制御部５０は、図９のように、表示装置２００から受け取ったダビング実行範囲の情報に基づいて、ダビング動作を実行する（ステップＳ３０５）。こうして、使用者は、ダビング前のビデオテープ１０Ａの内容確認に加え、サムネイル画像４０Ａを使ったダビング範囲の選択を行うことができる。
【００７２】
ちなみに、ＧＵＩ２２ｂにより「ダビングしない」旨の指示を選択した場合（ステップＳ３０２：Ｎ）には、ダビングに関する動作は終了される。即ち、使用者は、内容表示を見たうえで、ダビングに関する動作を止めることができる。また、ダビングする指示を選択した場合でも、表示部２３ａ、２３ｂに何も入力しないと、制御部５０は、ダビング実行範囲の指定がないものと判断して（ステップＳ３０３：Ｎ）、ビデオテープ１０Ａの全収録内容を無差別にダビングする（ステップＳ３０５）。この場合には、使用者は、ビデオテープ１０Ａの内容を確認したうえで最終的なダビング開始の指示を行うことができる。
【００７３】
一方、ケース２の場合は（ステップＳ２１１：Ｙ）、図５のように、ビデオテープ１０Ａを先頭まで巻き戻す（ステップＳ２１３）。その際、時間カウンタ１２はマイナスの値を刻むが、絶対値の最大値をメモリ５１蓄積しておく。次いで、ビデオテープ１０Ａの先頭から、前述の要領で、再生時間軸における５分毎に参照画像信号をサンプリングする（ステップＳ２０１）。そのうち、開始点ｂ０に達すると（ステップＳ２０５：Ｙ）、ビデオテープ１０Ａを少し戻してコンテンツＡの最後の部分から参照画像信号をサンプリングする（ステップＳ２１５）。その結果、コンテンツＡについてもサムネイル画像４０Ａが生成される。その後、ビデオテープ１０Ａを先頭まで巻き戻す（ステップＳ２１６）。
【００７４】
次いで、制御部５０は、コンテンツＡ、Ｂ及びＣのそれぞれについて参照画面５０Ａ、Ｂ及びＣを生成し、表示装置２００へ送出する。表示装置２００では、これらの参照画面５０Ａ、Ｂ及びＣが表示画面２０１に表示される（ステップＳ３０１）。従って、使用者は、コンテンツＡ，Ｂ及びＣの記録内容を概観した上で、ダビングの要否、及びダビング実行範囲の指定（ステップＳ３０２、３０３）、更には表示されたサムネイル画像４０Ａを利用したダビング実行範囲の設定を行うことができる。
【００７５】
ケース２の場合は、このようにビデオテープ１０Ａは当初、途中まで巻き取られた状態であったのに対し、使用者が指示を行うだけで、記録再生装置１００は自動的にビデオテープ１０内の全てのコンテンツに対する参照画面５０Ａの作成と表示を行う。そのため、記録再生装置１００が参照画面５０Ａの作成に係る一連の動作を行う間、使用者は装置の操作や監視から開放される。
【００７６】
尚、コンテンツＢ、Ｃが標準モードであるのに対し、コンテンツＡは３倍モードで録画されている。しかしながら、ここでは、インデックス信号に頼らず、時間カウンタ１２のカウント時間を基準に参照画像信号をサンプリングするようにしたので、このように録画モードが異なるコンテンツが混在していても、ビデオテープ１０Ａから抜き出したサムネイル画像４０Ａのサンプリング間隔は等しくなる。
【００７７】
こうして使用者によってダビング実行範囲が設定されると（ステップＳ３０４）、ダビング動作が実行される（ステップＳ３０５）。
【００７８】
このように本実施例の記録再生装置１００では、ビデオテープ１０Ａの巻き位置を確認し、その後の操作を問い合わせたり、参照画面５０Ａにより、ビデオテープ１０Ａの内容確認とダビングの条件設定とを連携させて行ったりして、ダビングに関する意思決定及び装置の動作設定を支援するようにしたので、操作の煩雑さや操作ミスが軽減でき、使用者の使い勝手を向上させることができる。また、参照画面５０ＡのＧＵＩ２２ａ、２２ｂや表示部２３ａ、２３ｂにより、複数のコンテンツを取捨選択のうえで光ディスク２０Ａに移し変えることができるので、効率のよいダビング動作が可能である。
【００７９】
また、時間カウンタ１２における一定時間間隔で画像信号をサンプリングするようにしたので、録画モードが異なるコンテンツが混在していても、サムネイル画像４０Ａは一貫して、一定の時間間隔で表示される。そのため、使用者は、容易かつ適切に磁気テープの内容を把握することができる。
【００８０】
また、インデックス信号によらずに参照画像信号をサンプリングするようにしたので、インデックス信号の有無に関係なくサムネイル画像４０Ａを生成することが可能である。
【００８１】
尚、以上説明した記録再生装置１００に対し、ディスク２０Ａの録画モードを自動的に設定する機能を付加してもよい。使用者が自動設定モードを選択している場合には、ダビングソースが１枚の光ディスク２０Ａに収まり、且つ、できるだけ高画質となるように、録画モードが制御部５０により自動的に選択される。上記ケース１を例にとると、ダビングが必要な時間は、図９のように累計５２分、６０分弱である。そこで、光ディスク２０Ａの録画モードは、１時間モードに設定される。尚、ダビング動作に移行した後にメモリ４１の記憶内容を消去するようにことで、メモリ４１の容量を比較的小さくすることができる。
【００８２】
尚、本発明においては、参照画像を表示した上で、ダビングに関する最終的な動作を設定できればよく、参照画像を表示するか否か、或いは、画像信号のどの範囲について参照画像を表示するか、最終的な動作設定時にダビング動作自体やダビング範囲指定を行うか否か等の問い合わせのタイミングや内容、問い合わせ方法については、種々の変形実施が可能である。例えば、記録内容の確認が不要な場合（ステップＳ１０１：Ｎ）においても、ビデオテープ１０Ａの巻き位置を検出するようにし、巻き位置が途中である場合に、ビデオテープ１０Ａの先頭以降をダビングするか、そのまま途中からダビングするかを、使用者に問い合わせて選択したり、予め装置に設定しておいたりするように構成してもよい。
【００８３】
また、上記実施例では、ビデオテープ１０Ａの巻き位置が判明した時点で、ケース１とケース２とに動作を分岐するようにしたが、ビデオテープ１０Ａの巻き位置が途中である場合は、先ず、その再生位置以降のサムネイル画像４０Ａを表示し、その後でビデオテープ１０Ａの冒頭以降についてサムネイル画像４０Ａを表示するか否かを問い合わせる構成としてもよい。
【００８４】
或いは、ビデオテープ１０Ａの巻き位置が途中である場合に、その後の選択肢として、ケース１（即ち、現在の再生位置以降でダビング実行範囲を選択）、ケース２（即ち、ビデオテープ１０Ａの先頭以降でダビング実行範囲を選択）に加え、ビデオテープ１０Ａの先頭から現在の再生位置までの範囲でダビング実行範囲を選択する場合を加えてもよい。例えば、録画したまま放置されたビデオテープは、巻き取られた部分は録画されている一方、後半部分はブランクであったりする。そのような場合を考慮すると、現在の再生位置以前の録画内容だけ確認すれば足りることもある。
【００８５】
また、実施例においては、ビデオテープ１０Ａに記録されたコンテンツ信号の区切り目を、ＲＦ信号が不連続であるか否かにより検出するようにしたが、その他に、例えばモノラルモード、ステレオモード、２ヶ国語放送等の音声信号の切り換わりや、記録したビデオ信号に含まれるＶＩＳＳ（VHS Index Search System）信号等を利用して検出するようにしてもよい。
【００８６】
また、実施例においては、図８のようにサムネイル画像４０Ａ及びコンテンツに関する情報の表示を、ダビング要否等の設定を行う操作画面と同一画面上に表示するようにしたが、サムネイル画像を表示する表示用画面をとダビングに関する設定を行う操作画面とを別にしてもよい。例えば、先ず表示用画面を表示し、その後、使用者側の操作によって操作画面に切り換えるようにしてもよい。
【００８７】
また、記録再生装置１００は、参照画像信号として静止画を取り込み、サムネイル画像４１Ａを静止画として表示するようにしたが、例えば再生時間で１０秒間など、一定時間分の画像を参照画像信号として取り込んで、各サムネイル画像を動画や静止画のコマ送り等によって表してもよい。また、参照画像信号と共に音声信号を取り込み、サムネイル画像４１Ａと連動させて音声を出力するようにしてもよい。更に、実施例では、サムネイル画像４１Ａ及び再生時間の他に録画モードを表示するようにしたが、使用者のコンテンツ内容の把握に役立つように、それ以外の情報を表示してもよい。例えば、ビデオテープのコンテンツ信号に、そのコンテンツのタイトルやその他の情報が含まれている場合には、それらの情報を参照画面５０Ａに表示してもよい。
【００８８】
更に、実施例では、参照画像信号のサンプリング時に、ビデオテープ１０Ａのブランク部分ではテープ終端までサーチを行うようにしたが、例えば、一定時間以上ＲＦ信号がない状態が持続した場合、その時点でサーチを終了し、ビデオテープを巻き戻すようにしてもよい。
【００８９】
尚、記録再生装置１００と表示装置２００との間は、ケーブル接続以外に、無線ＬＡＮ等により信号の送受可能な状態としてもよく、記録再生装置１００と表示装置２００とが一体的に構成されていてもよい。
【００９０】
本発明は、上述した実施形態及び実施例に限られるものではなく、請求の範囲及び明細書全体から読み取れる発明の要旨或いは思想に反しない範囲で適宜変更可能であり、そのような変更を伴う記録再生装置及びダビング方法もまた本発明の技術的範囲に含まれる。
【図面の簡単な説明】
【００９１】
【図１】本発明の実施例に係る記録再生装置の構成を示すブロック図である。
【図２】本発明の実施例におけるダビング方法を表すフローチャート（その１）である。
【図３】本発明の実施例におけるダビング方法に表すフローチャート（その２）である。
【図４】本発明の実施例におけるダビング方法を表すフローチャート（その３）である。
【図５】図１に示した記録再生装置のダビング実行前の動作を説明するための模式図である。
【図６】図５の動作のうち、参照画像信号のサンプリング動作を説明するための模式図である。
【図７】図６のサンプリング動作に応じてメモリ５１に蓄積されたデータを表す図である。
【図８】本発明の実施例に係る参照画面を表す図である。
【図９】本発明の実施例に係るダビング動作を説明するための模式図である。
【符号の説明】
【００９２】
１０Ａ…ビデオテープ、２０Ａ…光ディスク、１０…テープ再生部、１１…不連続位置検出手段、１２…時間カウンタ、１３…巻量検出手段、２０…ディスク記録部、３０…画像サンプリング部、４０…参照画像生成部、４１…メモリ、５０…制御部、５１…メモリ、６０ａ、６０ｂ…入力装置、２２ａ、２２ｂ…ＧＵＩ、２３ａ、２３ｂ…表示部、４０Ａ…サムネイル画像、５０Ａ…参照画面、１００…記録再生装置、２００…表示装置、２０１…表示画面、２２０…タッチパネル。
【図１】
2005210177.tif 000003
【図２】
2005210177.tif 000004
【図３】
2005210177.tif 000005
【図４】
2005210177.tif 000006
【図５】
2005210177.tif 000007
【図６】
2005210177.tif 000008
【図７】
2005210177.tif 000009
【図８】
2005210177.tif 000010
【図９】
2005210177.tif 000011